(57)【要約】【課題】消火剤として人体、環境に無害な有機化合物を封入したマイクロカプセルと、着火時にマイクロカプセルの破裂が起こりやすく、火災の初期段階において効果的に消火する消火性シート、消火性コード及びその補助具を提供する。【解決手段】マイクロカプセルは、消火剤としてドデカフルオロ−２−メチルペンタン−３−オン（ＦＫ−５−１−１２）と、可溶性リン酸アンモニウム塩が封入されている。消火性シートと消火性コードは、このマイクロカプセルを、水溶性樹脂と硬化剤からなるインキに混ぜ合わせて繊維に練り込んで板状又は棒状に固化して形成される。消火性シートは、その一方面に被着体に対して貼付するための接着層を有し、接着層は、被着体に対する接着面に剥離可能に貼合する剥離シートを備える構成としてもよい。【選択図】図１
2020081809.tif 000002
【特許請求の範囲】
【請求項１】
消火剤が封入されたマイクロカプセルであって、前記消火剤は、ドデカフルオロ−２−メチルペンタン−３−オン（ＦＫ−５−１−１２）と、可溶性リン酸アンモニウム塩を含むことを特徴とするマイクロカプセル。
【請求項２】
請求項１に記載のマイクロカプセルを、水溶性樹脂と硬化剤からなるインキに混ぜ合わせて繊維に練り込んで板状に固化して形成されることを特徴とする消火性シート。
【請求項３】
請求項２に記載の消火性シートであって、前記消火性シートの一方面に被着体に対して貼付するための接着層を有し、前記接着層は、被着体に対する接着面に剥離可能に貼合する剥離シートを備えることを特徴とする消火性シート。
【請求項４】
請求項１に記載のマイクロカプセルを、水溶性樹脂と硬化剤からなるインキに混ぜ合わせて繊維に練り込んで紐状に固化して形成されることを特徴とする消火性コード。
【請求項５】
請求項２又は３に記載の消火性シートを配線用差込接続器に貼り付けるための補助具であって、差込プラグをプラグ受けに差込む際に固定され、プラグ受けに平行な固定面と、該固定面と垂直で前記差込プラグを覆う上面を有することを特徴とする補助具。
【発明の詳細な説明】
【技術分野】
【０００１】
本発明は、火災の初期段階において消火のために使用できる消火剤を含んだマイクロカプセル及びそれを用いた消火性シート、消火性コード及びその補助具に関する。特に、消火効率が高く、人体に無害で機器にも損害を与えることがない消火剤を使用した消火性シート、消火性コードに関する。
【背景技術】
【０００２】
近年、家庭や工場等の電気火災は増加傾向にある。電気器具の配線用差込接続器（所謂コンセント）付近では、差込プラグに埃が溜まって湿気が加わると、差込プラグ両刃間の絶縁部が熱を持って、徐々に電気が流れやすい状態へと変化し、そこに電気が流れてしまうとショートして火災になるという、いわゆるトラッキング火災が増えている。特に冷蔵庫、洗濯機など裏に埃が溜まりやすい場所で使用する配線用差込接続器付近や台所、洗面所など湿気が多い場所で使用している配線用差込接続器付近でトラッキング火災が増えている。また、プラグ受けの数の不足分を補うために、いわゆるたこ足配線で多くの電気器具を使用することで、配線用差込接続器の電気量の許容量を超えてしまい、配線用差込接続器が加熱され火災になるケースも増えている（たこ足配線火災）。
【０００３】
また、家庭や工場等において過負荷、落雷等で古くなった配電盤、分電盤からのコード皮膜火災、古くなったコンデンサーからの出火、電気配線の短絡など、漏電ブレーカーでは防ぐことができない火災が増えている。上記のような家庭や工場等の火災を未然に防ぐために、配線用差込接続器や配電盤等にセンサーを設置し、火災の初期段階で消火する消火設備を整えることが考えられるが、設備に費用がかかり、余分な設置スペースが必要となる場合が多い。一方、火災を未然に防ぐ対策をしなければ、工場や会社等では火災による業務停止に加え、工場や建物の設備の修復には莫大な費用がかかる。このため、火災の初期段階で消火するための消火剤やシート等が開発されている。
【０００４】
例えば特許文献１には、基材上に、消火剤を包含した消火性マイクロカプセルが均一に分散された無機質塗料を塗工し、乾燥させることにより構成された自己消火性シートが開示されている。この無機質塗料には金属アルコキシド等の不燃性材料が用いられている。この自己消火性シートは、着火しにくく、かつ仮に着火しても自己消火作用により容易に消火できるとされている。
【０００５】
特許文献２には、消火特性を有するマイクロカプセル及び結合剤から形成される自動消
火剤が開示されている。そのマイクロカプセルはハロカーボンがポリ尿素及び、又はポリウレタンの高分子シェル中に封入されて、結合剤は高分子成分並びに鉱物繊維及び、又は鉱物粒子を含む複合材料であることが開示されている。この自動消火剤は、消火組成物を基にした消火特性を有する複合材料から作成されているため、消火剤を強力に放出し、かつ可撓性を有し、頑丈で、耐久性があり、使いやすい消火剤であるとされている。
【先行技術文献】
【特許文献】
【０００６】
【特許文献１】特開平５−８４８７３号公報
【特許文献２】特表２０１４−５０９２３０号公報
【発明の概要】
【発明が解決しようとする課題】
【０００７】
特許文献１の自己消火性シートは、塗料に不燃性の無機質塗料が使用されているため、塗膜自体に着火が起こり難いことから、塗膜内のマイクロカプセルの破裂も起こり難く、消火剤の放出が遅れるという課題がある。そのため、着火時にマイクロカプセルの破裂が起こりやすく、火災の初期段階において効果的に消火剤を放出する消火性シートが望まれる。
【０００８】
特許文献２の自動消火剤は、マイクロカプセル中にハロカーボンを含んでいるため、消火剤が加熱されてマイクロカプセルシェルが壊れると、ハロカーボン蒸気が大量に放出され、火災を鎮火する。しかしながら、ハロカーボンは、温室効果ガスやオゾン層破壊物質として働くため、環境負荷を与える一因となっている。また、オゾン層が破壊されると、地球に届く紫外線の量が増えるため、人体に有害である。特にハロカーボンの一種であるハロンを用いた消火剤の製造は先進国では１９９３年、全世界でも２００９年末で廃止されている。そのため、環境や人体に無害な材料を使用した消火剤が望まれる。
【０００９】
本発明は、上記課題に鑑み、消火剤として人体、環境に無害な有機化合物を封入したマイクロカプセルと、着火時にマイクロカプセルの破裂が起こりやすく、火災の初期段階において効果的に消火する消火性シート、消火性コード及びその補助具を提供することを目的とする。
【課題を解決するための手段】
【００１０】
上記課題を解決するため、請求項１に記載の発明は、消火剤が封入されたマイクロカプセルであって、前記消火剤は、ドデカフルオロ−２−メチルペンタン−３−オン（ＦＫ−５−１−１２）と、リン酸２水素アンモニウムを含むことを特徴とする。
請求項２に記載の発明は、請求項１に記載のマイクロカプセルを、水溶性樹脂と硬化剤からなるインキに混ぜ合わせて繊維に練り込んで板状に固化して形成されることを特徴とする消火性シートである。
請求項３に記載の発明は、請求項２に記載の消火性シートであって、前記消火性シートの一方面に被着体に対して貼付するための接着層を有し、前記接着層は、被着体に対する接着面に剥離可能に貼合する剥離シートを備えることを特徴とする。
請求項４に記載の発明は、請求項１に記載のマイクロカプセルを、水溶性樹脂と硬化剤からなるインキに混ぜ合わせて繊維に練り込んで紐状に固化して形成されることを特徴とする消火性コードである。
請求項５に記載の発明は、請求項２又は３に記載の消火性シートを配線用差込接続器に貼り付けるための補助具であって、差込プラグをプラグ受けに差込む際に固定され、プラグ受けに平行な固定面と、該固定面と垂直で前記差込プラグを覆う上面を有することを特徴とする補助具である。
【発明の効果】
【００１１】
本発明のマイクロカプセルは、消火剤に人体、環境に無害な有機化合物が封入されており、本発明の消火性シートと消火性コードは、着火時にマイクロカプセルの破裂が起こりやすく、火災の初期段階において効果的に消火することができる。また、本発明の消火性シートの補助具は、消火性シートを効果的に火に当てることができ、より効率のよい消火をサポートする。
【図面の簡単な説明】
【００１２】
【図１】本発明の一実施形態であるシール付き消火性シートの（Ａ）は断面図、（Ｂ）は（Ａ）の消火性シート部分の拡大模式図である。
【図２】図１に示す消火性シートを配線用差込接続器に使用した説明図である。
【図３】図１に示す消火性シートを、補助具を用いて使用した説明図であり、（Ａ）は補助具の斜視図、（Ｂ）は配線用差込接続器に補助具を用いて使用した説明図である。
【図４】図１に示す消火性シートを分電盤（ブレーカー）に使用した説明図である。
【図５】図１に示す消火性シートを配電盤に使用した説明図である。
【図６】本発明の一実施形態である消火性コードの（Ａ）は斜視図、（Ｂ）は（Ａ）のＡ−Ａ線断面図の模式図である。
【図７】図６に示す消火性コードを配電盤に使用した説明図である。
【発明を実施するための形態】
【００１３】
以下、本発明の実施の形態（以下実施例と記す）を、図面に基づいて説明する。なお、以下の図において、共通する部分には同一の符号を付しており、同一符号の部分に対して重複した説明を省略する。
【実施例】
【００１４】
［マイクロカプセルと消火性シート１の構成］
まず、本発明の一実施例に係るマイクロカプセルと消火性シート１の構成について、図１（Ａ）、（Ｂ）を参照して説明する。図１（Ａ）はシール付き消火性シート１の断面図、（Ｂ）は消火性シート部分１０の拡大模式図である。図１（Ｂ）では、本実施例の構成がわかりやすいように、消火性シート部分１０内のマイクロカプセル１１が粒状に誇張されて模式的に示されている。
【００１５】
図１（Ａ）に示すように、本実施例の消火性シート１は、消火性シート部分１０と、その一方面に被着体に対して貼付するための接着層２０（シール）から構成される。接着層２０は、本発明で必須の構成部ではなく、消火性シート部分１０のみで構成することができる。その場合、必要に応じて両面テープ等を貼り付けてもよい。この接着層２０は、消火性シート部分１０に接着し、被着体に対する接着面を有する接着部２１と、接着面に剥離可能に貼合されている剥離シート２２を備える。なお、剥離シート２２は、通常のシールの様に消火性シート１の使用時に、接着部２１から剥離されて取り除かれるものである。この接着層２０は、消火性シート部分１０と被着体に接着できるものであれば、いかなるものでもよく、市販の両面シールを使用してもよい。
【００１６】
図１（Ｂ）に示すように、消火性シート部分１０は、消火剤が封入された多量のマイクロカプセル１１がインキ１２（水溶性樹脂と硬化剤を含む）に高密度に且つ均一に混ぜ合わされて、撹拌後、耐熱の繊維に練り込んで板状に乾燥固化されて製造される。マイクロカプセル１１に封入される消火剤として、有機化合物であり、消火性能に優れたドデカフルオロ−２−メチルペンタン−３−オン（ＦＫ−５−１−１２）（化学式Ｃ６Ｆ１２Ｏ）、商品名ＮＯＶＥＣ１２３０（ＮＯＶＥＣはスリーエム  カンパニーの登録商標）と、可溶性リン酸アンモニウム塩の１つであるリン酸２水素アンモニウム（化学式（ＮＨ４）３ＰＯ４）を混合した液体を用いる。ドデカフルオロ−２−メチルペンタン−３−オン（以下、ＮＯＶＥＣ１２３０と記す）は、フルオロケトン系消火薬剤で、臭素原子と塩素原子を持たないためオゾンを破壊せず、ハロゲン化物消火薬剤と比較して環境面、安全面において優れている。また、長期持続的な使用が可能である。さらに、電気絶縁性に優れ、コンピュータや通信機器などの電気機器が浸っても機能を損なうことがないという利点や消火剤による汚れがほとんどないという利点がある。
【００１７】
ＮＯＶＥＣ１２３０は、燃焼連鎖反応を抑制する効果があり、空気温度を下げて火の勢いを小さくできるが、確実に消火させるために、本実施例ではリン酸２水素アンモニウム
を５０％の割合で混合している。リン酸２水素アンモニウムを混合する割合は、５０％に限定されず、３０〜７０％の割合で適宜変更することができる。このように混合した消火剤が封入された多量のマイクロカプセル１１が火の熱によって破裂することで噴射し、素材の燃焼温度を下げて燃焼残渣（灰分）、チャーの生産を増加させる事により素材に皮膜を作り酸素から遮断させて確実に消火することができる。なお、確実に消火させるための消火剤としてリン酸２水素アンモニウムの代わりに炭酸水素カリウム、ナトリウムと無水ケイ酸の混合液、他の可溶性リン酸アンモニウム塩を使用することもできる。
【００１８】
マイクロカプセル１１は、公知の方法である界面重合法で製造する。特に安全性を考慮して毒性を持つジアミンを使わない界面重縮合法により製造する。この方法で構成されるマイクロカプセル１１の外壁（膜）物質は、例えば、ポリ尿素又はポリウレタン、セルロース、ゼラチン、ポリビニル等の高分子材料である。従って、マイクロカプセル１１は、高い強度かつ薄い膜を有し、ＮＯＶＥＣ１２３０とリン酸２水素アンモニウムを混合した液状の消火剤で満たすことができる。マイクロカプセル１１は高い耐久性があり、温度が−４０℃〜８５℃の範囲で使用ができ、長期に亘り確実に密閉される。効果持続期間は約１０年である。
【００１９】
マイクロカプセル１１は火の熱によって１０５±５℃に熱せられると溶融し、中の消火剤が放出される。同時に、混合された液状の消火剤は１００℃以上に熱せられると、気化して膨張し、その内圧によってマイクロカプセル１１の外壁が破裂して、ガス化された消火剤が外部に放出される。なお、マイクロカプセル１１の粒径は、小さすぎると封入される消火剤が少なく十分な消火効果が得られないため、本実施例では２００〜１０００μｍ程度の粒径のものが採用される。
【００２０】
上記のマイクロカプセル１１を、インキ１２（水溶性樹脂と硬化剤を含む）に混ぜ合わせて、撹拌後、耐熱の繊維に練り込んで板状に乾燥固化させて消火性シート部分１０を製造する。本実施例ではインキ１２とマイクロカプセル１１を、１０対１の割合で混ぜ合わせる。例えば、１ｋｇのインキ１２に対して１００ｇのマイクロカプセル１１を混ぜ合わせる。それにより、多数のマイクロカプセル１１が高密度に且つ均一に混ぜ合わされた消火性シート部分１０が製造できる。インキ１２とマイクロカプセル１１を混ぜ合わせる比率は、上記の比率に限定されず、消火性シート１を使用する箇所に応じて、適宜変更して製造することができる。
【００２１】
インキ１２は、水溶性樹脂と硬化剤を含む水溶性のインキであれば、いかなるものを使用してもよいが、レベリング性、印刷再現性、後剥離性、皮膜強度、耐溶剤性に優れたインキを使用することが好ましい。インキ１２は、インキ１２中の揮発性溶剤が蒸発する事によって乾燥固化するが、本実施例ではマイクロカプセル１１を混ぜ合わせたインキ１２を、耐熱の繊維に練り込んで板状に形成した後に乾燥固化する。なお、形成する板状の厚さは例えば３ｍｍであるが、使用する箇所によって、２〜５ｍｍに形成してもよい。
【００２２】
インキ１２の耐熱温度は１００〜１５０℃であるため、火によって熱せられるとゲル化し、溶融温度より低い１１０±５℃の範囲で溶け出し、インキ１２の硬化剤以外の成分は気化する。一方、インキ１２の硬化剤は、耐熱温度が約２００℃であるため繊維に絡みついて残る。その際、前述のように、インキ１２に混合されたマイクロカプセル１１中の消火剤は気化して膨張するため、マイクロカプセル１１が破裂し、ガス化された消火剤が放出される。このように、消火性シート部分１０が構成されているため、着火時にマイクロカプセル１１の破裂が起こりやすく、素早く火災を消火させることができる。
【００２３】
上記のように、消火性シート部分１０を板状に製造した後、接着層２０を接着させることで消火性シート１が製造される。消火性シート部分１０と接着層２０は、既存の方法で接着させることができ、例えば両面テープで接着させることができる。製造された消火性シート１は、所望の寸法に切断することで、火災が起こり得るあらゆる箇所に使用できる。本実施例の消火性シート１は、上記のように構成されるため、例えば消火性シート１の体積９ｃｍ３中に、約１２０００ｍｌの消火剤（２Ｌペットボトル６本分）を含むことができ、火災の初期段階において効果的に消火することができる。
【００２４】
［消火性シート１の使用例］
次に消火性シート１の使用態様を図２〜５を用いて説明する。本実施例の消火性シート１は、薄型（３ｍｍ）で柔軟性があるため、配線用差込接続器５０（コンセント）や分電盤、配電盤など狭い隙間にも所望の寸法に消火性シート１を切断して使用できる。図２は、消火性シート１を配線用差込接続器に使用した説明図である。図２に示すように配線用差込接続器５０に使用する場合には、その寸法に合うように、基本サイズ１９０ｍｍ×１００ｍｍ（２５ｇ）を例えば、８５ｍｍ×４５ｍｍに切断して使用することができる。消火性シート１は、消火効果を高めるために、配線用差込接続器５０の上部に設置することが好ましい。消火性シート１を上部に設置することで、火災の際に、火の熱によりマイクロカプセル１１に封入された消火剤が噴射され、配線用差込接続器５０の火災を初期段階において消火できる。
【００２５】
配線用差込接続器５０の火災の際に、消火性シート１がより効果的に火に熱せられるように、図３に示すような補助具５１を使用してもよい。図３（Ａ）は補助具５１の斜視図、（Ｂ）は配線用差込接続器５０に補助具５１を用いて使用した説明図である。補助具５１は、配線用差込接続器５０の差込プラグをプラグ受けに差込む際に固定されるように構成され、プラグ受けに平行な固定面と、固定面と垂直で差込プラグを覆う上面（屋根）を有する構成である。図３（Ｂ）に示すように、補助具５１の上面の内側に消火性シート１を設置することで、火災の際に消火性シート１を効果的に火に当てることができ、より効率よく消火できる。
【００２６】
図４は、消火性シート１を分電盤（ブレーカー）に使用した説明図であり、図５は、消火性シート１を工場等の配電盤に使用した説明図である。前述のように、家庭や工場等において過負荷、落雷等で古くなった配電盤、分電盤からのコード皮膜火災、古くなったコンデンサーからの出火、電気配線の短絡などの火災が増えている。図４に示すように分電盤６０に消火性シート１を設置する場合には、火災が起こり得る全ての箇所の上に、寸法に合わせて複数個所、設置することが好ましい。図４に示す例では、図２、３配線用差込接続器５０に設置する場合よりも大きいサイズの消火性シート１を使用している。
【００２７】
図５の工場等の配電盤７０に使用する場合も同様に、配線の妨げとならないように、複数個所に設置することが好ましい。このように消火性シート１を設置することで、火災の際に、消火性シート１のマイクロカプセル１１に封入された消火剤が噴射され、配電盤６０、分電盤７０の火災においても、初期段階で消火できる。本実施例の消火剤は、前述のように、通信機器などの電気機器が浸っても機能を損なうことがなく、また汚れがほとんどないという利点がある。さらに、本実施例の消火性シート１は、火災を初期段階で消火することにより、工場や会社等における業務停止、機器や設備の修復など、火災に係る余分な出費や損失を防ぐことができる。
【００２８】
［消火性コード２の構成］
本発明の一実施例に係る消火性コード２の構成について、図６（Ａ）、（Ｂ）を参照して説明する。図６（Ａ）は本発明の消火性コード２の斜視図、図６（Ｂ）は、（Ａ）のＡ−Ａ線断面図の模式図である。図６（Ｂ）では、本実施例の構成がわかりやすいように、消火性コード部分３０内のマイクロカプセル４１が粒状に誇張されて模式的に示されている。
【００２９】
本実施例の消火性コード２は、消火性コード部分３０と、その両端のキャップ３１から構成される。キャップ３１は、ポリエチレン等のビニールキャップが使用される。キャップ３１により、消火性コード部分３０の両先端部を固定でき保護できる。キャップ３１は、本発明で必須の構成部ではなく、消火性コード部分３０のみで構成してもよい。
【００３０】
図６（Ｂ）に示すように、消火性コード部分３０は、消火剤が封入された多量のマイクロカプセル４１がインキ４０（水溶性樹脂と硬化剤を含む）に高密度に且つ均一に混ぜ合わされて、撹拌後、耐熱の繊維に練り込んで紐状に乾燥固化されて製造される。マイクロカプセル４１の構成は、前述の消火性シート１と同様であり、消火剤にはＮＯＶＥＣ１２３０とリン酸２水素アンモニウムを５０％混合した液体が用いられる。リン酸２水素アンモニウムを混合する割合は、５０％に限定されず、３０〜７０％の割合で適宜変更することができる。
【００３１】
マイクロカプセル４１の製造方法は、消火性シート１におけるマイクロカプセル１１の製造方法と同様であるため、説明を省略する。また、使用するインキ４０も消火性シート１におけるインキ１２と同様であるため説明を省略する。
【００３２】
インキ４０は、インキ４０中の揮発性溶剤が蒸発する事によって乾燥固化するが、本実施例ではマイクロカプセル４１を混ぜ合わせたインキ４０を、耐熱の繊維に練り込んで紐状に形成した後に乾燥固化する。なお、形成する紐状（コード）の径は例えば３ｍｍであるが、使用する箇所によって、１〜１０ｍｍに形成してもよい。紐状（コード）の長さは、５ｃｍ程度から２００ｃｍ程度まで所望の寸法に切断することができる。
【００３３】
また、消火性コード部分３０は、ナイロン繊維などで覆って被膜することが好ましい。それにより、消火性コード部分３０の形状を維持し、耐久性を高めることができる。ナイロン繊維の耐熱温度は、８０〜１４０℃、インキ４０の耐熱温度は、１００〜１５０℃であるが、火によって熱せられるとゲル化し、溶融温度より低い１１０±５℃の範囲で溶け出し、中のインキ４０の硬化剤以外の成分は気化する。一方、インキの硬化剤は、被膜の繊維と内部繊維に絡みついて残り、インキ４０中のマイクロカプセル４１中の消火剤は気化して膨張し、マイクロカプセル４１を破裂して、ガス化された消火剤が放出される。本実施例の消火性コード２は、上記のように構成されるため、火災の初期段階において効果的に消火することができる。
【００３４】
［消火性コード２の使用例］
次に消火性コード２の使用態様を、図７を用いて説明する。本実施例の消火性コード２は、火災が起こり得るあらゆる箇所に使用できる。特に消火性シート１の設置が難しい箇所に設置することができる。また、消火性コード２は径が３ｍｍで柔軟性があり、所望の長さに切断して使用できるため、消火性シート１よりも広範囲な使用が可能である。
【００３５】
図７は、消火性コード２を大型配電盤８０に使用した説明図である。消火性コード２には、消火性シート１のような接着層（シール）２０がないため、設置する際には、柱にコードを掛ける取り付け具をつけて、消火性コード２を設置する。図７では、取り付け具には、大型配電盤８０の柱に貼り付けるフックを使用している。このフックに消火性コード２を掛けることで、大型配電盤８０に容易に設置できる。取り付け具はフックに限らず、いかなるものでもよく、強力な粘着テープ等を使用してもよい。
【００３６】
また、消火性コード２は、消火性シート１と同様に、消火効果を高めるために、大型配電盤８０の上部に設置することが好ましい。特に消火効果を高めたい場合には、消火性コード２を２重に設置してもよいし、複数個所に設置してもよい。消火性コード２を大型配電盤８０の上部に設置することで、火災の際に、火の熱によりマイクロカプセル４１に封入された消火剤が噴射され、大型配電盤８０の火災を初期段階において消火できる。
【００３７】
以上説明した様に、本発明のマイクロカプセルは、消火剤として人体、環境に無害な有機化合物を含み、長期持続的な使用が可能である。また、マイクロカプセルを含んだ消火性シートと消火性コードは、着火時にマイクロカプセルの破裂が起こりやすく、火災の初期段階において効果的に消火することができる。また、それにより、工場や会社等における業務停止、機器や設備の修復など、火災に係る余分な出費や損失を防ぐことができる。
【００３８】
さらに、本発明の消火性シートと消火性コードは、柔軟性があり、所望の寸法に切断して使用できるため、必要な場所に必要な分だけ容易に設置できる。また、本発明の補助具を使用することで、消火性シートを効果的に火に当てることができ、より効率よく消火することができる。
【００３９】
なお、実施例では、消火性シートと消火性コードを配線用差込接続器、分電盤、配電盤に使用した例を説明したが、本発明はこれらに限らず、火災が起こり得るあらゆる機器や必要な箇所に使用できるものである。さらに、本発明のマイクロカプセルは、前述のシートやコードに限らず、壁紙やスプレー等にも適用することができる。また、本発明の構成は、発明の趣旨を逸脱しない範囲で、適宜変更可能である。
【符号の説明】
【００４０】
１          消火性シート
２          消火性コード
１０        消火性シート部分
１１，４１  マイクロカプセル
１２，４０  インキ
２０        接着層
２１        接着部
２２        剥離シート
３０        消火性コード部分
３１        キャップ
５０        配線用差込接続器
５１        補助具
６０        配電盤
７０        分電盤
８０        大型配電盤
【図１】
2020081809.tif 000003
【図２】
2020081809.tif 000004
【図３】
2020081809.tif 000005
【図４】
2020081809.tif 000006
【図５】
2020081809.tif 000007
【図６】
2020081809.tif 000008
【図７】
2020081809.tif 000009